(57)【特許請求の範囲】
【請求項１】
車台と、前記車台上に設けられた運転室と、前記車台に設けられた作業装置と、前記作業装置を駆動させる電動モータと、前記電動モータの駆動用の電力を発電する燃料電池ユニットと、を備え、
前記燃料電池ユニットは、水素と空気の供給により発電する燃料電池と、前記燃料電池へ供給する水素を貯留する水素タンクと、前記水素タンクと前記燃料電池とをつなぐ水素供給管と、前記燃料電池と前記水素タンクと前記水素供給管とを内部に収納すると共に車外に露出した収納ケースと、を有し、
前記収納ケースの天井壁には、前記収納ケースの内側で漏れた水素を前記収納ケースの外側へ逃がすベント部が設けられ、
前記水素供給管には、非常時に前記燃料電池へ供給する水素の量を調整する開放弁が介設され、
前記開放弁の操作部は収納ケースの側壁に露出する一方、前記開放弁を開いた際には、水素は前記収納ケースの内部空間に逃がされるように構成されている
ことを特徴とする作業車両。
【請求項２】
前記燃料電池ユニットは、前記運転室の後方かつ車両前後方向中央部の前記車台上に設けられている請求項１に記載の作業車両。
【請求項３】
前記燃料電池で発電された電力にて蓄電されると共に前記電動モータに電力を供給する蓄電装置を備え、
前記蓄電装置は、前記収納ケースの外部に配設されている請求項１又は２に記載の作業車両。
【請求項４】
前記収納ケースの壁面には、前記水素タンクに水素を充填するための充填口が設けられ、
前記充填口と前記水素タンクとをつなぐ水素充填管が、前記収納ケースの内部に収納されている請求項１〜３のいずれか１項に記載の作業車両。
【請求項５】
前記収納ケースの壁面には、水素検知センサが設けられている請求項１〜４のいずれか１項に記載の作業車両。
【請求項６】
前記電動モータは、前記運転室の下方に配設されて、前記作業装置の駆動源と車両走行用の駆動源とを兼用している請求項１〜５のいずれか１項に記載の作業車両。
【発明の詳細な説明】
【技術分野】
【０００１】
本発明は、車台に設けられた作業装置と、作業装置を駆動させる電動モータとを備えた作業車両に関する。
【背景技術】
【０００２】
従来、車両エンジンと、車台に設けられた作業装置と、作業装置を駆動させる電動モータとを備えた作業車両であって、作業装置が油圧アクチュエータと油圧アクチュエータに作動油を供給する油圧ポンプとを有し、この油圧ポンプを駆動する動力源を車両エンジン又は電動モータに切換可能にしたものが知られている（例えば、特許文献１参照）。
特許文献１の作業車両は、車両エンジンと電動モータの何れも走行駆動源とし得るハイブリッド式の作業車両であり、車輪を車両エンジンで走行駆動しているときに電動モータがモータ軸の空回りに伴い起電力を発生し得るので、この起電力を車両搭載の蓄電装置に充電可能となっている。そして、蓄電装置に蓄えられた電力は、走行アシストに使用される他、車両を停止させ車両エンジンも停止させた状態で作業装置の油圧ポンプを電動モータにて駆動させる場合に使用される。
電動モータで作業装置の油圧ポンプを駆動させれば、車両エンジンで油圧ポンプを駆動させる場合と比較して騒音を低減し排気ガスを発生させないので環境に優しい。
【０００３】
しかしながら、特許文献１のような従来の作業車両では、走行中に蓄電装置に蓄電するために車両エンジンを駆動させる必要があり、蓄電の際には騒音や排気ガスが発生してしまうので、環境に優しい作業車両という観点では改善の余地があった。
一方、乗用車の業界においては、近年、走行用電動モータと燃料電池と蓄電装置とを備える燃料電池搭載車両の開発が進んでいる（例えば、特許文献２参照）。
この燃料電池搭載車両では、燃料電池がフロントシート及びリアシートのいずれか一方の下方領域に集約して配置され、蓄電装置がその他方の下方領域に配置されている。特許文献２のような燃料電池搭載車両では、燃料電池で発電された電力に基づいて走行用電動モータを駆動するので、走行の際に排気ガスが発生しない。また、走行中に燃料電池で発電された電力を蓄電装置に蓄えることができ、蓄電装置への蓄電の際に排気ガスが発生しない。これにより、燃料電池搭載車両は環境に優しい車両だといえるので、作業車両に燃料電池を適用することが考えられる。
【先行技術文献】
【特許文献】
【０００４】
【特許文献１】特開２０１４−１２２０９６号公報
【特許文献２】特開２００７−１８６２００号公報
【発明の概要】
【発明が解決しようとする課題】
【０００５】
しかしながら、作業車両は乗用車と異なり、人の乗車のためのスペースは小さい一方、作業装置の搭載スペースは大きいので、燃料電池や水素タンク等の水素関連機器を安全に配置するためには乗用車と全く異なる配置の仕方が必要となる。例えば、一般に作業車両は、走行部分をシャシメーカーが製造する一方、作業装置の部分を架装メーカーが製造し、両方の部分を合わせて完成品となるので、取り扱いが難しい水素関連機器をどちらのメーカーにとっても容易に配置できるようにする必要がある。また、作業装置は積載物の積み込み、位置移動、下ろし等を行うために使用されるので、積載物が作業装置の各部に接触することもあるが、その際、水素関連機器に損傷を与えないようにする必要がある。
【０００６】
そこで、本発明は燃料電池等の水素関連機器を容易かつ安全に搭載してより環境に優しい作業車両を提供することを目的とする。
【課題を解決するための手段】
【０００７】
上記目的を達成するために、第１の発明は、車台と、前記車台上に設けられた運転室と、前記車台に設けられた作業装置と、前記作業装置を駆動させる電動モータと、前記電動モータの駆動用の電力を発電する燃料電池ユニットと、を備え、前記燃料電池ユニットは、水素と空気の供給により発電する燃料電池と、前記燃料電池へ供給する水素を貯留する水素タンクと、前記水素タンクと前記燃料電池とをつなぐ水素供給管と、前記燃料電池と前記水素タンクと前記水素供給管とを内部に収納する収納ケースと、を有する。
【０００８】
第１の発明によれば、作業装置を駆動させる電動モータの電力を燃料電池により発電するので、従来の作業車両のように発電に車両エンジンを必要とすることがない。即ち、発電時には車両エンジンと比較して騒音が低減されると共に排気ガスが発生することがないので、環境に優しい作業車両にできる。
また、燃料電池ユニットは、収納ケース内に燃料電池と水素タンクとそれらをつなぐ水素供給管とをまとめて収納しているので、燃料電池や水素タンク、水素供給管から水素が漏れ出たとしても収納ケース内に漏れ出た水素の行く先を限定することができる。これにより、収納ケース内でどの水素関連機器から漏れが発生したとしても、その事態を検知しやすくできる。また、収納ケースの外部へ放出する水素の時間的・場所的な調整も容易に行うことができるので安全性に優れる。また、収納ケース内に漏れ出た水素の行く先が限定されるので、水素漏れによる影響を他の機器に及ぼすのを最小限にすることができる。
また、取り扱いが難しい燃料電池等の水素関連機器が収納ケース内にまとめられているので、燃料電池ユニットから外部へ出る配管、配線は少なくて済む。これにより、燃料電池や水素タンクを車台の様々なところに設ける場合と比較して、シャシメーカーや架装メーカーが車台に燃料電池ユニットを取り付ける製造工数を低減することができる。
また、収納ケース内に燃料電池等の水素関連機器がまとめて収納されているので、作業装置を使用する際に水素関連機器に積載物等が接触することがなく、水素関連機器に損傷を与えないようにできる。
【０００９】
第２の発明では、第１の発明において、
前記燃料電池ユニットは、前記運転室の後方かつ車両前後方向中央部の前記車台上に設けられている。
【００１０】
第２の発明によれば、燃料電池ユニットは、車両の重心近くに位置することができるので、従来と同様の作業装置を車台に設けたとしても前後左右、上下の重量バランスが大きくずれることがない。これにより、重量バランスのために特別な構造の作業装置を製造する必要がなく、製造容易な作業車両にできる。
【００１１】
第３発明では、第１又は第２の発明において、前記燃料電池で発電された電力にて蓄電されると共に前記電動モータに電力を供給する蓄電装置を備え、前記蓄電装置は、前記収納ケースの外部に配設されている。
【００１２】
第３の発明によれば、走行中に燃料電池で発電した電力を蓄電装置に蓄えることができ、その蓄電装置への蓄電の際に排気ガスが発生しない。これにより、環境に優しい作業車両とすることができる。
また、蓄電装置を燃料電池ユニットの収納ケースの外部に配設したので、水素が収納ケース内で漏れた等の燃料電池ユニットのトラブルが発生したとしてもその影響が蓄電装置に及ぶのを防ぐことができる。これにより、作業装置の電動モータによる駆動可能な時間をより多く確保することができる。
【００１３】
第４の発明では、第１〜第３のいずれか一つの発明において、前記収納ケースの壁面には、前記水素タンクに水素を充填するための充填口が設けられ、前記充填口と前記水素タンクとをつなぐ水素充填管が、前記収納ケースの内部に収納されている。
【００１４】
第４の発明によれば、充填口と水素タンクとをつなぐ水素充填管が収納ケースの外部に露出しないので、作業装置が積載物の積み込み、位置移動、下ろし等を行ったとしても、積載物が水素充填管に接触することがない。これにより、水素充填管の損傷を防ぐことができるので、安全性に優れる。また、水素充填管の一部から水素が漏れたとしても他の機器への影響を防ぐことができるので、安全性に優れる。
【００１５】
第５の発明では、第１〜第４のいずれか一つの発明において、前記収納ケースの壁面には、水素検知センサが設けられている。
【００１６】
第５の発明によれば、収納ケース内で水素が漏れた際に早期にそれを検知することができる。これにより、大量の水素漏れが発生する前に水素タンクの容器元弁を止める等の対策をとることができ、安全性に優れる。
【００１７】
第６の発明では、第１〜第５のいずれか一つの発明において、前記燃料電池は、前記収納ケースの底部に配設されると共に、前記水素タンクは前記燃料電池の上方に配設され、前記収納ケースの天井壁には、前記収納ケースの内側で漏れた水素を前記収納ケースの外側へ逃がすベント部が設けられている。
【００１８】
第６の発明によれば、収納ケース内において、燃料電池ユニットを底部に配設すると共にその上方に水素タンクを配設することによって、燃料電池で発生する熱により暖められた空気及び水素を自然対流で上方に移動させやくすることができる。これにより、収納ケース内で水素が漏れたとしてもその水素を迅速に収納ケースの天井壁の方へ移動させることができる。そして、天井壁にベント部を設けていることによって、収納ケース内で漏れた水素がスムーズに外部へ排出される。また、天井壁にベント部を設けることによって、作業車両の走行中に走行風がベント部の近傍を通過しやすくなる。これにより、走行中に水素が漏れた場合には、ベント部から外部に排出された水素を迅速に拡散させることができるので、安全性に優れる。
【００１９】
第７の発明では、第１〜第６のいずれか一つの発明において、前記電動モータは、前記運転室の下方に配設されて、前記作業装置の駆動源と車両走行用の駆動源とを兼用している。
【００２０】
第７の発明によれば、燃料電池で発電された電力を作業装置の駆動のためだけではなく、走行するためにも使用することができる。これにより、排気ガスを常時出すことがなく、環境に優しい作業車両とすることができる。また、電動モータは運転室の下方に配設されるので、従来の作業車両の車両エンジンのスペースを有効活用できる。
【発明の効果】
【００２１】
以上説明したように、本発明によれば、燃料電池による発電時に排気ガスが発生することがないので、環境に優しい作業車両にできる。
また、燃料電池ユニットは、収納ケース内に燃料電池と水素タンクとそれらをつなぐ水素供給管とをまとめて収納しているので、収納ケース内に漏れ出た水素の行く先を限定することができ、収納ケースの外部へ放出する水素の時間的・場所的な調整を容易に行うことができるので安全性に優れる。
また、取り扱いが難しい燃料電池等の水素関連機器が収納ケース内にまとめられているので、燃料電池ユニットから外部へ出る配管、配線は少なくて済み、車台に燃料電池ユニットを取り付ける製造工数は少なくて済む。
【図面の簡単な説明】
【００２２】
【図１】本発明の一実施の形態に係る作業車両としての塵芥収集車の側面図である。
【図２】本実施形態の塵芥収集車の動力伝達系統を示す概略説明図である。
【図３】燃料電池ユニットの一部破断斜視図である。
【図４】燃料電池ユニットの配管図である。
【発明を実施するための形態】
【００２３】
以下、本発明の実施形態を図面に基づいて説明する。
【００２４】
図１は、本発明の一実施形態に係る作業車両としての塵芥収集車１の側面図を示し、図２は、塵芥収集車１の動力伝達系統の一例を示す概略説明図を示している。本実施形態の塵芥収集車１は、図１及び図２に示すように、車台２０と、車台２０上の前部に設けられた運転室３０と、車台２０に設けられた作業装置としての塵芥収集装置４０と、塵芥収集装置４０を駆動させる電動モータ２０５と、燃料電池ユニット５０と、を備えている。
【００２５】
車台２０は、前後方向に伸びて左右一対のシャシフレーム２０１を有する。
塵芥収集装置４０は、シャシフレーム２０１の上面に取り付けられる左右一対のサブフレーム４１２と、サブフレーム４１２上に設けられると共にサブフレーム４１２の後端部を中心に上下回動自在な荷箱としての塵芥収容箱４０１と、塵芥収容箱４０１の後方開口部４０１ａに上下回動自在に連設された塵芥投入箱４０２と、塵芥投入箱４０２の内部に設けられた塵芥積込機構４０３とを備えている。
【００２６】
塵芥積込機構４０３は、塵芥投入箱４０２の塵芥投入口４０２ａを通じて投入された塵芥（積載物）を圧縮して、塵芥収容箱４０１に積み込むためのものである。塵芥積込機構４０３は、回転板４０３ａと押込板４０３ｂとを有している。回転板４０３ａは、減速機構４０３ｃを介して油圧モータ４０３ｄにて駆動される。押込板４０３ｂは押込シリンダ４０３ｅにて駆動される。
塵芥収容箱４０１に積み込まれた塵芥を排出する場合には、図示省略の昇降シリンダにて塵芥投入箱４０２を上方回動させた後、ダンプシリンダ４０４にて塵芥収容箱４０１を上方回動させるようになっている。
油圧モータ４０３ｄ、押込シリンダ４０３ｅ、ダンプシリンダ４０４及び昇降シリンダは、油圧ポンプ４０５により作動油タンク４０６（図１参照）の作動油がコントロールバルブ４０９を介して供給されることにより駆動される。
【００２７】
油圧ポンプ４０５は、ＰＴＯシャフト２０９、ＰＴＯ２０８（動力取出装置）、トランスミッション２０７を介して電動モータ２０５と接続されている。
電動モータ２０５は、運転室３０の下方に配設されて、塵芥収集装置４０の駆動源と車両走行用の駆動源とを兼用している。
電動モータ２０５は、車輪２１１にトランスミッション２０７とトルクシャフト２１０を介して駆動力を付与可能である。
【００２８】
本発明の特徴部分である燃料電池ユニット５０は、図１〜３に示すように、電動モータ２０５の駆動用の電力を発電するものであり、運転室３０の後方かつ車両前後方向中央部の車台２０上に設けられている。より具体的には、燃料電池ユニット５０は、運転室３０と塵芥収容箱４０１との間のサブフレーム４１２上に設けられている。
燃料電池ユニット５０は、収納ケース５０１と、収納ケース５０１の内部に配設されると共に水素と空気の供給により発電する燃料電池５０２と、燃料電池５０２に空気を供給する空気供給手段としてのブロワ５０３と、収納ケース５０１の内部に配設されると共に燃料電池５０２へ供給する水素を貯留する水素タンク５０４と、を有する。
燃料電池５０２は、収納ケース５０１の底部に配設されると共に、水素タンク５０４は燃料電池５０２の上方に配設されている。
【００２９】
詳しく説明すると、収納ケース５０１は６面の壁面を有する直方体状であり、内部に強度を保つためのフレーム枠５０９が設けられている。フレーム枠５０９は、最も下に位置して前後一対の下段フレーム５０９ａと、下段フレーム５０９ａの上方に位置して前後一対の第１中段フレーム５０９ｂと、第１中段フレーム５０９ｂの上方に位置して前後一対の第２中段フレーム５０９ｃとを有している。
燃料電池５０２は、収納ケース５０１の内部において車幅方向中央に位置すると共に、前後の下段フレーム５０９ａに架設された支持部材５２６に載置されている。燃料電池５０２の車幅方向に隣接する位置には、一方側にＤＣＤＣコンバータ５０６が配設され、他方側にブロワ５０３が配設されている。
【００３０】
ＤＣＤＣコンバータ５０６は、燃料電池５０２で発電された電力を、電動モータ２０５の駆動用電圧に適するように昇圧するものである。
ブロワ５０３は、収納ケース５０１の外部に設けられた図示しない車両エアクリーナから空気導入管５２４を通じて空気を収納ケース５０１の内部に導入する。また、ブロワ５０３は空気中の酸素を燃料電池５０２に空気供給管５２２を通じて供給し、水素との反応を促進させる。さらに、ブロワ５０３は収納ケース５０１内に存在するガスの対流を促進させる効果も有している。
【００３１】
水素タンク５０４は、本実施形態において２個設けられ、その長手方向が車幅方向を向くように収納ケース５０１内部に配設されている。より具体的には、水素タンク５０４のうち１個は前後の第１中段フレーム５０９ｂに架設された支持部材５２６に載置され、帯部材５２５で固定されている。また残りの１個は前後の第２中段フレーム５０９ｃに架設された支持部材５２６に載置され、帯部材５２５で固定されている。
水素タンク５０４は、水素供給管５２１にて燃料電池５０２に接続されている。
【００３２】
水素タンク５０４と燃料電池５０２とをつなぐ水素供給管５２１は、収納ケース５０１の内部に収納され、この水素供給管５２１には、図４に示すように、水素タンク５０４に近い順に、容器元弁５１１、高圧側圧力センサ５１２、高圧側フィルタ５１３、レギュレータ５１４、低圧側圧力センサ５１５、リリーフ弁５１６、手動開放弁５１７、低圧側ストップ弁５１８、低圧側フィルタ５２０、流量計５１９が介設されている。
収納ケース５０１内に燃料電池５０２と水素タンク５０４とそれらをつなぐ水素供給管５２１とをまとめて収納しているので、燃料電池５０２や水素タンク５０４、水素供給管５２１から水素が漏れ出たとしても収納ケース５０１内に留めることができる。
【００３３】
容器元弁５１１は電磁弁であり、２個の水素タンク５０４のそれぞれに対応して設けられている。そして水素タンク５０４いずれか又は両方に異常が生じたときに、異常が生じた方を閉じて水素の供給を停止する。また、容器元弁５１１は、水素を外部から水素タンク５０４に充填する際にも閉じられる。
【００３４】
レギュレータ５１４は、７０ＭＰａの高圧で水素タンク５０４に充填されている水素を燃料電池５０２に供給するのに適した低圧に調整するものである。燃料電池５０２の前後で適切に圧力が調整されているかどうかの判断は、高圧側圧力センサ５１２と低圧側圧力センサ５１５の検知結果が利用される。
【００３５】
リリーフ弁５１６は、トラブルが生じて水素供給管５２１の管内圧力が異常に高まった際に、収納ケース５０１の内部空間に水素を逃がして管内圧力を下げることにより、水素供給管５２１が内部から破壊されるのを防ぐ。
【００３６】
手動開放弁５１７は、作業員が非常時に燃料電池５０２へ供給する水素の量を手動で調整可能にするためのものである。手動開放弁５１７の操作部５１７ａは収納ケース５０１の側壁５０１ａに露出しており（図１参照）、この操作部５１７ａにより、作業員は収納ケース５０１の外部から手動開放弁５１７を操作可能となっている。手動開放弁５１７を開いた際には、水素は収納ケース５０１の内部空間に逃がされるようになっている。
低圧側ストップ弁５１８は、燃料電池５０２への水素の供給と停止とを任意に行って、燃料電池５０２による発電の調整を行うために設けられている。
【００３７】
また、収納ケース５０１の車幅方向一方側の側壁５０１ａの壁面には、水素タンク５０４に水素を充填するための充填口５０５が設けられている。充填口５０５は、収納ケース５０１の内部の水素充填管５２３を介して水素供給管５２１と接続されている。その接続箇所は、各水素タンク５０４に対応する２箇所であり、水素供給管５２１上に設けられた容器元弁５１１よりも水素タンク５０４に近い位置である。また、水素充填管５２３には、逆止弁５１０が介設されており、水素が充填口５０５から漏れ出るのを防いでいる。充填口５０５と水素タンク５０４とをつなぐ水素充填管５２３は、全て収納ケース５０１の内部に収納されている。
【００３８】
また、図３及び図４に示すように、収納ケース５０１の天井壁５０１ｂの車幅方向中央部壁面には、水素検知センサ５０７が設けられている。この水素検知センサ５０７は、燃料電池５０２や水素タンク５０４や水素供給管５２１等から水素が漏れた場合に、なるべく早い段階で水素の漏れを検知して、容器元弁５１１や低圧側ストップ弁５１８の開閉を行ったりするために設けられている。
【００３９】
また、収納ケース５０１の天井壁５０１ｂの車幅方向両端部には、収納ケース５０１の内側で漏れた水素を収納ケース５０１の外側へ逃がすベント部５０８が設けられている。
収納ケース５０１は、このベント部５０８以外は密閉状に形成されているが、収納ケース５０１内で漏れた水素はスムーズに外部へ排出される。また、天井壁５０１ｂにベント部５０８を設けることによって、作業車両の走行中に走行風がベント部５０８の近傍を通過しやすくなっている。これにより、走行中に水素が漏れた場合には、ベント部から外部に排出された水素が迅速に拡散される。
【００４０】
次に、本実施形態では、図１及び図２に示すように、燃料電池５０２で発電された電力にて蓄電されると共に電動モータ２０５に電力を供給する蓄電装置２０３を備えている。この蓄電装置２０３は、リチウムイオンバッテリから成り、燃料電池ユニット５０の外部に配設されている。より具体的には、蓄電装置２０３は、塵芥収集車１の側面視において燃料電池ユニット５０の直下に位置するように、サブフレーム４１２の側面に設けられた図示しないブラケットにより支持されている。車両重心近くに燃料電池ユニット５０と蓄電装置２０３とをまとめていることにより重量バランスがよい。
【００４１】
蓄電装置２０３には、燃料電池５０２の発電電力がＤＣＤＣコンバータ５０６（図３参照）により昇圧されて蓄電されるようになっている。
また、蓄電装置２０３は、電動モータ２０５に付設されたインバータ２０４と電気的に接続されており、インバータ２０４は、電動モータ２０５と電気的に接続されている。これにより、蓄電装置２０３に蓄えられた電力がインバータ２０４を介して電動モータ２０５に供給され、電動モータ２０５が駆動される。
【００４２】
インバータ２０４や燃料電池ユニット５０の制御はシャシ側制御装置２０６により行われる。シャシ側制御装置２０６は箱に収納されて、運転室３０内の後部に設置されている。
シャシ側制御装置２０６は、図２及び図４に示すように、燃料電池ユニット５０に設けられた高圧側圧力センサ５１２、低圧側圧力センサ５１５、流量計５１９、水素検知センサ５０７等から圧力や流量や水素漏れ等などの情報を受け取り、容器元弁５１１、低圧側ストップ弁５１８等の制御を行う。
また、シャシ側制御装置２０６は、作業装置側制御装置４１０と制御信号を送受信する。
【００４３】
作業装置側制御装置４１０は、塵芥収集装置４０の動作制御を行うものであり、コントロールバルブ４０９に制御信号を送る。
作業装置側制御装置４１０の電源はシャシフレーム２０１にブラケットを介して取り付けられた補機用バッテリ４１１である。この補機用バッテリ４１１は、図示しないエアーコンディショナや各種ランプの電源にもなるが、作業装置側制御装置４１０自身は燃料電池ユニット５０から電力を供給されるようになっている。
また、作業装置側制御装置４１０は、運転室３０内に設けられた前部操作盤４０７や塵芥投入箱４０２に設けられた後部操作盤４０８からの操作信号を受け付けるようになっている。
【００４４】
前部操作盤４０７には、図示省略の動力切換スイッチが設けられており、この動力切換スイッチを操作することにより、塵芥収集車１を走行させるか、塵芥収集装置４０を駆動させるかが選択される。塵芥収集車１を走行させる場合には、ＰＴＯ２０８は切断状態となり、電動モータ２０５が蓄電装置２０３の電力により駆動されると、その駆動力はトランスミッション２０７、トルクシャフト２１０を介して車輪２１１に伝達される。一方、塵芥収集装置４０を駆動させる場合には、ＰＴＯ２０８が接合状態となると共にトランスミッション２０７からトルクシャフト２１０への動力伝達が切断状態となる。これにより、電動モータ２０５が蓄電装置２０３の電力により駆動されると、その駆動力はトランスミッション２０７、ＰＴＯシャフト２０９を介して油圧ポンプ４０５に伝達される。
【００４５】
また、前部操作盤４０７及び後部操作盤４０８には、塵芥積込機構４０３の操作スイッチが設けられている。作業員がこの操作スイッチを操作することにより、塵芥積込機構４０３が動作し、塵芥の積み込みが行われる。
【００４６】
（その他の実施形態）
本発明は、上記実施形態について、以下のような構成としてもよい。
上記実施形態では、作業車両として塵芥収集車１を例示したが、本発明はこれに限らず、脱着車、高所作業車、車両運搬車等の他の作業車両に適用することができる。
また、上記実施形態では、燃料電池ユニット５０の燃料電池５０２で発電された電力を走行と塵芥収集装置４０の駆動との両方に利用したが、本発明はこれに限らず、燃料電池ユニットの燃料電池で発電された電力を作業装置の駆動のみに利用してもよい。
また、上記実施形態では、電動モータ２０５は、運転室３０の下方に配設されて、塵芥収集装置４０の駆動源と車両走行用の駆動源とを兼用していたが、本発明はこれに限らず、走行用と作業装置の駆動用とに別個の電動モータを設けてもよい。
【００４７】
また、上記実施形態では、充填口５０５を収納ケース５０１の車幅方向一方側の側壁５０１ａの壁面に設けたが、本発明はこれに限らず、充填口を収納ケースの底面側や前面側や後面側の壁面に設けてもよい。
また、上記実施形態では、水素検知センサ５０７を収納ケース５０１の天井壁５０１ｂに設けたが、本発明はこれに限らず、水素検知センサを収納ケースの側面に設けてもよい。
【産業上の利用可能性】
【００４８】
以上説明したように、本発明は、車台上に設けられた運転室と、車台に設けられた作業装置と、作業装置を駆動させる電動モータとを備えた塵芥収集車その他の作業車両に対し燃料電池を搭載する場合について有用である。
【符号の説明】
【００４９】
１        塵芥収集車（作業車両）
２０      車台
２０３    蓄電装置
３０      運転室
４０      塵芥収集装置（作業装置）
４０１    塵芥収容箱
４０２    塵芥投入箱
５０      燃料電池ユニット
５０１    収納ケース
５０１ｂ  天井壁
５０２    燃料電池
５０４    水素タンク
５０５    充填口
５０７    水素検知センサ
５０８    ベント部
５２１    水素供給管
５２３    水素充填管
【図１】
0006667949.tif 000002
【図２】
0006667949.tif 000003
【図３】
0006667949.tif 000004
【図４】
0006667949.tif 000005